(57)【要約】【課題】  特定の者のみの間でデータの送受信を行う。【解決手段】  所定のコンテンツデータと、当該コンテンツデータを送受信する際の認証用のデータが所定のファイルシステムに準拠して記録される第１のエリアと、予め固有のＩＤ番号が記録されている第２のエリアとを有する一の記録媒体を装着部に装着し、装着部に装着されている一の記録媒体の第２のエリアから固有のＩＤ番号を読み出し、機器の固有の機器情報が書き込まれている記憶部から当該機器情報を読み出し、装着部から一の記録媒体が抜き取られ、他の記録媒体が装着部に装着されたとき、当該他の記録媒体に一の記録媒体から読み出した固有のＩＤ番号と、記憶部から読み出した機器情報とを書き込み、他の記録媒体から固有のＩＤ番号を読み出し、装着部から他の記録媒体が抜き取られ、一の記録媒体が装着部に装着されたとき、一の記録媒体に他の記録媒体から読み出した固有のＩＤ番号を書き込む。【選択図】  図１４
2005108269.tif 000002
【特許請求の範囲】
【請求項１】
所定のコンテンツデータと、当該コンテンツデータを送受信する際に認証に用いる認証用データが所定のファイルシステムに準拠して記録される第１のエリアと、
予め固有のＩＤ番号が記録されている第２のエリアとを有することを特徴とする記録媒体。
【請求項２】
上記第２のエリアは、最内周に配されていることを特徴とする請求項１記載の記録媒体。
【請求項３】
所定のコンテンツデータと、当該コンテンツデータを送受信する際に認証に用いる認証用データが所定のファイルシステムに準拠して記録される第１のエリアと、予め固有のＩＤ番号が記録されている第２のエリアとを有する記録媒体が装着される装着手段と、
上記装着手段に装着されている一の記録媒体の第２のエリアから固有のＩＤ番号を読み出す第１の読出手段と、
所定の機器の固有の識別情報が書き込まれている記憶手段と、
上記記憶手段から上記識別情報を読み出す第２の読出手段と、
上記第１の読出手段で固有のＩＤ番号が読み出された後、上記装着手段から一の記録媒体が抜き取られ、他の記録媒体が上記装着手段に装着された時、当該他の記録媒体に上記第１の読出手段により一の記録媒体から読み出された固有のＩＤ番号と、上記第２の読出手段により読み出された識別情報を書き込む書込手段とを備え、
上記第１の読出手段は、上記他の記録媒体の第２のエリアから固有のＩＤ番号を読み出し、
上記書込手段は、上記第１の読出手段で他の記録媒体から固有のＩＤ番号を読み出した後、上記装着手段から他の記録媒体が抜き取られ、一の記録媒体が上記装着手段に装着された時、当該一の記録媒体に上記第１の読出手段により読み出された他の記録媒体の固有のＩＤ番号を書き込むことを特徴とする記録装置。
【請求項４】
上記第１の読出手段は、記録媒体の最内周に配されている上記第２のエリアから固有のＩＤ番号を読み出すことを特徴とする請求項３記載の記録装置。
【請求項５】
所定のコンテンツデータと、当該コンテンツデータを送受信する際に認証に用いる認証用データが所定のファイルシステムに準拠して記録される第１のエリアと、予め固有のＩＤ番号が記録されている第２のエリアとを有する一の記録媒体を装着部に装着し、
上記装着部に装着されている一の記録媒体の第２のエリアから固有のＩＤ番号を読み出し、
所定の機器の固有の識別情報が書き込まれている記憶部から上記識別情報を読み出し、
上記装着部から一の記録媒体が抜き取られ、他の記録媒体が上記装着部に装着された時、当該他の記録媒体に上記一の記録媒体から読み出された上記固有のＩＤ番号と、記憶部から読み出された上記識別情報とを書き込み、
上記他の記録媒体から固有のＩＤ番号を読み出し、
上記装着部から他の記録媒体が抜き取られ、一の記録媒体が上記装着部に装着された時、上記一の記録媒体に上記他の記録媒体から読み出された上記固有のＩＤ番号を書き込むことを特徴とする記録方法。
【請求項６】
コンピュータに、
所定のコンテンツデータと、当該コンテンツデータを送受信する際に認証に用いる認証用データが所定のファイルシステムに準拠して記録される第１のエリアと、予め固有のＩＤ番号が記録されている第２のエリアとを有する一の記録媒体が装着部に装着されており、上記記録媒体の第２のエリアから固有ＩＤ番号を読み出す第１の読出工程と、
所定の機器の固有の識別情報が書き込まれている記憶部から上記識別情報を読み出す第２の読出工程と、
上記装着部から一の記録媒体が抜き取られ、他の記録媒体が上記装着部に装着された時、当該他の記録媒体に上記第１の読出工程により上記一の記録媒体から読み出された固有ＩＤ番号と、上記第２の読出工程により記憶部から読み出された識別情報とを書き込む第１の書込工程と、
上記装着部に装着されている上記他の記録媒体の第２のエリアから固有のＩＤ番号を読み出す第３の読出工程と、
上記装着部から他の記録媒体が抜き取られ、一の記録媒体が上記装着部に装着された時、当該一の記録媒体に上記第３の読出工程により上記他の記録媒体から読み出された固有のＩＤ番号を書き込む第２の書込工程を実行させるためのプログラム。
【請求項７】
ネットワーク上に少なくとも一の記録装置と、他の記録装置が接続されており、当該記録装置の間でデータの送受信を行うデータ送受信システムにおいて、
上記他の記録装置は、
所定のコンテンツデータと、当該コンテンツデータを送受信する際に認証に用いる認証用データが所定のファイルシステムに準拠して記録される第１のエリアと、予め固有のＩＤ番号が記録されている第２のエリアとを有する他の記録媒体から認証用データと固有のＩＤ番号を読み出す第１の読出手段と、
上記第１の読出手段で読み出された認証用データと固有のＩＤ番号を上記一の記録装置にネットワークを介して送信する第１の送信手段と、
上記一の記録装置から供給されたデータを上記他の記録媒体に記録する記録手段とを有し、
上記一の記録装置は、
上記他の記録装置の上記送信手段により送信された認証用データに基づき上記他の記録装置の認証の有無を確認する認証手段と、
上記認証手段で認証した後、所定のコンテンツデータと、当該コンテンツデータを送受信する際に認証に用いる認証用データが所定のファイルシステムに準拠して記録される第１のエリアと、予め固有のＩＤ番号が記録されている第２のエリアとを有する一の記録媒体に記録されている認証用データを読み出す第２の読出手段と、
上記他の記録装置の上記第１の送信手段から送信された固有のＩＤ番号が、上記第２の読出手段で読み出した認証用データに含まれているかどうかを判断する判断手段と、
上記判断手段の判断結果に基づき、上記一の記録媒体からコンテンツデータを読み出す第３の読出手段と、
上記第３の読出手段で読み出したコンテンツデータを上記他の記録装置に送信する第２の送信手段とを有し、
上記他の記録装置が有する上記記録手段は、上記一の記録装置が有する上記第２の送信手段から送信されてきたコンテンツデータを上記他の記録媒体に記録することを特徴とするデータ送受信システム。
【請求項８】
ネットワーク上に少なくとも一の記録装置と、他の記録装置が接続されており、当該記録装置の間でデータの送受信を行うデータ送受信方法において、
上記他の記録装置は、
所定のコンテンツデータと、当該コンテンツデータを送受信する際に認証に用いる認証用データが所定のファイルシステムに準拠して記録される第１のエリアと、予め固有のＩＤ番号が記録されている第２のエリアとを有する他の記録媒体から認証用データと固有のＩＤ番号を読み出し、
読み出した認証用のデータと固有のＩＤ番号を上記一の記録装置にネットワークを介して送信し、
上記一の記録装置は、
上記他の記録装置から送信された認証用データに基づき上記他の記録装置の認証の有無を確認し、
所定のコンテンツデータと、当該コンテンツデータを送受信する際に認証に用いる認証用データが所定のファイルシステムに準拠して記録される第１のエリアと、予め固有のＩＤ番号が記録されている第２のエリアとを有する一の記録媒体に記録されている認証用データを読み出し、
読み出した認証用データに、上記他の記録装置からネットワークを介して送信されてきた固有のＩＤ番号が含まれているかどうかを判断し、
上記判断結果に基づき、上記一の記録媒体に記録されているコンテンツデータを読み出し、
読み出したコンテンツデータをネットワークを介して上記他の記録装置に送信し、
上記他の記録装置は、上記一の記録装置からネットワークを介して送信されてきたデータを上記他の記録媒体に記録することを特徴とするデータ送受信方法。
【請求項９】
ネットワーク上に少なくとも一の記録装置と、他の記録装置が接続されており、当該記録装置の間で行われるデータの送受信をコンピュータにより実行させるためのプログラムにおいて、
上記一の記録装置に、所定のコンテンツデータと、当該コンテンツデータを送受信する際に認証に用いる認証用データが所定のファイルシステムに準拠して記録される第１のエリアと、予め固有のＩＤ番号が記録されている第２のエリアとを有する一の記録媒体が装着され、上記他の記録装置に、所定のコンテンツデータと、当該コンテンツデータを送受信する際に認証に用いる認証用データが所定のファイルシステムに準拠して記録される第１のエリアと、予め固有のＩＤ番号が記録されている第２のエリアとを有する他の記録装置が装着されている場合に、
コンピュータに、
上記他の記録装置に装着されている上記他の記録媒体から認証用データと固有のＩＤ番号を読み出す第１の読出工程と、
上記第１の読出工程で読み出された認証用のデータと固有のＩＤ番号を上記一の記録装置にネットワークを介して送信する第１の送信工程と、
上記第１の送信工程により上記他の記録装置からネットワークを介して送信されてきた認証用データに基づき上記他の記録装置の認証の有無を確認する認証工程と、
上記一の記録媒体に記録されている認証用データを読み出す第２の読出工程と、
上記第１の送信工程によりネットワークを介して送信されてきた固有のＩＤ番号が、上記第２の読出工程で読み出した認証用データに含まれているかどうかを判断する判断工程と、
上記判断工程の判断結果に基づき、上記一の記録媒体からコンテンツデータを読み出す第３の読出工程と、
上記第３の読出工程で読み出したコンテンツデータをネットワークを介して上記他の記録装置に送信する第２の送信工程と、
上記第２の送信工程によりネットワークを介して送信されてきたコンテンツデータを他の記録媒体に記録する記録工程を実行させるためのプログラム。
【発明の詳細な説明】
【技術分野】
【０００１】
本発明は、固有のＩＤ番号が記録された記録媒体と、当該記録媒体にデータを記録する記録装置及び方法並びにプログラムと、ネットワークを介して複数台接続されている記録装置間でデータの送受信を行うデータ送受信システム及び方法並びにプログラムに関する。
【背景技術】
【０００２】
ネットワークを介してデータを送受信する場合において、不特定の者と自由にデータの送受信をしても良いときと、特定の者との間でのみデータの送受信を許可したいときがある。このうち、後者は、特定の者とそうでない者とを区別するために、例えば、パスワードの設定等を行い、特定の者同士でデータの送受信を行う。
【０００３】
例えば、ネットワークを介して複数の機器が接続されており、予め、アクセス可能な機器間で対象となる機器の固有のＩＤ番号とアクセスを許可するユーザのパスワードを設定しておき、一の機器から他の機器へアクセスする場合に、機器の固有のＩＤ番号とパスワードの認証作業を行い、認証結果に応じてアクセスの許可をするシステムが提案されている（例えば、特許文献１参照）。
【０００４】
しかしながら、設定するパスワードが複雑なものであれば他の者に知られる恐れはないが、当事者が忘れてしまうことがあり、また、当事者が忘れないように容易なパスワードを設定してしまうと、他の者に容易に知られてしまい、パスワードとしての機能を発揮しなくなってしまう。また、パスワード等の設定にも多大な労力が必要である。
【０００５】
【特許文献１】特開２００３−８５１４５号公報
【発明の開示】
【発明が解決しようとする課題】
【０００６】
解決しようとする問題点は、ユーザに対して煩雑な作業を要求することなく、特定の者のみとデータの送受信を実現する点にある。
【課題を解決するための手段】
【０００７】
本発明に係る記録媒体は、上述の課題を解決するために、所定のコンテンツデータと、当該コンテンツデータを送受信する際に認証に用いる認証用データが所定のファイルシステムに準拠して記録される第１のエリアと、予め固有のＩＤ番号が記録されている第２のエリアとを有することを特徴とする。
【０００８】
また、本発明に係る記録装置は、上述の課題を解決するために、所定のコンテンツデータと、当該コンテンツデータを送受信する際に認証に用いる認証用データが所定のファイルシステムに準拠して記録される第１のエリアと、予め固有のＩＤ番号が記録されている第２のエリアとを有する記録媒体が装着される装着手段と、上記装着手段に装着されている一の記録媒体の第２のエリアから固有のＩＤ番号を読み出す第１の読出手段と、所定の機器の固有の識別情報が書き込まれている記憶手段と、上記記憶手段から上記識別情報を読み出す第２の読出手段と、上記第１の読出手段で固有のＩＤ番号が読み出された後、上記装着手段から一の記録媒体が抜き取られ、他の記録媒体が上記装着手段に装着された時、当該他の記録媒体に上記第１の読出手段により一の記録媒体から読み出された固有のＩＤ番号と、上記第２の読出手段により読み出された識別情報を書き込む書込手段とを備え、上記第１の読出手段は、上記他の記録媒体の第２のエリアから固有のＩＤ番号を読み出し、上記書込手段は、上記第１の読出手段で他の記録媒体から固有のＩＤ番号を読み出した後、上記装着手段から他の記録媒体が抜き取られ、一の記録媒体が上記装着手段に装着された時、当該一の記録媒体に上記第１の読出手段により読み出された他の記録媒体の固有のＩＤ番号を書き込むことを特徴とする。
【０００９】
また、本発明に係る記録方法は、上述の課題を解決するために、所定のコンテンツデータと、当該コンテンツデータを送受信する際に認証に用いる認証用データが所定のファイルシステムに準拠して記録される第１のエリアと、予め固有のＩＤ番号が記録されている第２のエリアとを有する一の記録媒体を装着部に装着し、上記装着部に装着されている一の記録媒体の第２のエリアから固有のＩＤ番号を読み出し、所定の機器の固有の識別情報が書き込まれている記憶部から上記識別情報を読み出し、上記装着部から一の記録媒体が抜き取られ、他の記録媒体が上記装着部に装着された時、当該他の記録媒体に上記一の記録媒体から読み出された上記固有のＩＤ番号と、記憶部から読み出された上記識別情報とを書き込み、上記他の記録媒体から固有のＩＤ番号を読み出し、上記装着部から他の記録媒体が抜き取られ、一の記録媒体が上記装着部に装着された時、上記一の記録媒体に上記他の記録媒体から読み出された上記固有のＩＤ番号を書き込むことを特徴とする。
【００１０】
また、本発明に係るコンピュータに実行させるためのプログラムは、上述の課題を解決するために、所定のコンテンツデータと、当該コンテンツデータを送受信する際に認証に用いる認証用データが所定のファイルシステムに準拠して記録される第１のエリアと、予め固有のＩＤ番号が記録されている第２のエリアとを有する一の記録媒体が装着部に装着されており、上記記録媒体の第２のエリアから固有ＩＤ番号を読み出す第１の読出工程と、所定の機器の固有の識別情報が書き込まれている記憶部から上記識別情報を読み出す第２の読出工程と、上記装着部から一の記録媒体が抜き取られ、他の記録媒体が上記装着部に装着された時、当該他の記録媒体に上記第１の読出工程により上記一の記録媒体から読み出された固有ＩＤ番号と、上記第２の読出工程により記憶部から読み出された識別情報とを書き込む第１の書込工程と、上記装着部に装着されている上記他の記録媒体の第２のエリアから固有のＩＤ番号を読み出す第３の読出工程と、上記装着部から他の記録媒体が抜き取られ、一の記録媒体が上記装着部に装着された時、当該一の記録媒体に上記第３の読出工程により上記他の記録媒体から読み出された固有のＩＤ番号を書き込む第２の書込工程を有する。
【００１１】
また、本発明に係るデータ送受信システムは、上述の課題を解決するために、ネットワーク上に少なくとも一の記録装置と、他の記録装置が接続されており、当該記録装置の間でデータの送受信を行うデータ送受信システムにおいて、上記他の記録装置は、所定のコンテンツデータと、当該コンテンツデータを送受信する際に認証に用いる認証用データが所定のファイルシステムに準拠して記録される第１のエリアと、予め固有のＩＤ番号が記録されている第２のエリアとを有する他の記録媒体から認証用データと固有のＩＤ番号を読み出す第１の読出手段と、上記第１の読出手段で読み出された認証用データと固有のＩＤ番号を上記一の記録装置にネットワークを介して送信する第１の送信手段と、上記一の記録装置から供給されたデータを上記他の記録媒体に記録する記録手段とを有し、上記一の記録装置は、上記他の記録装置の上記送信手段により送信された認証用データに基づき上記他の記録装置の認証の有無を確認する認証手段と、上記認証手段で認証した後、所定のコンテンツデータと、当該コンテンツデータを送受信する際に認証に用いる認証用データが所定のファイルシステムに準拠して記録される第１のエリアと、予め固有のＩＤ番号が記録されている第２のエリアとを有する一の記録媒体に記録されている認証用データを読み出す第２の読出手段と、上記他の記録装置の上記第１の送信手段から送信された固有のＩＤ番号が、上記第２の読出手段で読み出した認証用データに含まれているかどうかを判断する判断手段と、上記判断手段の判断結果に基づき、上記一の記録媒体からコンテンツデータを読み出す第３の読出手段と、上記第３の読出手段で読み出したコンテンツデータを上記他の記録装置に送信する第２の送信手段とを有し、上記他の記録装置が有する上記記録手段は、上記一の記録装置が有する上記第２の送信手段から送信されてきたコンテンツデータを上記他の記録媒体に記録することを特徴とする。
【００１２】
また、本発明に係るデータ送受信方法は、上述の課題を解決するために、ネットワーク上に少なくとも一の記録装置と、他の記録装置が接続されており、当該記録装置の間でデータの送受信を行うデータ送受信方法において、上記他の記録装置は、所定のコンテンツデータと、当該コンテンツデータを送受信する際に認証に用いる認証用データが所定のファイルシステムに準拠して記録される第１のエリアと、予め固有のＩＤ番号が記録されている第２のエリアとを有する他の記録媒体から認証用データと固有のＩＤ番号を読み出し、読み出した認証用のデータと固有のＩＤ番号を上記一の記録装置にネットワークを介して送信し、上記一の記録装置は、上記他の記録装置から送信された認証用データに基づき上記他の記録装置の認証の有無を確認し、所定のコンテンツデータと、当該コンテンツデータを送受信する際に認証に用いる認証用データが所定のファイルシステムに準拠して記録される第１のエリアと、予め固有のＩＤ番号が記録されている第２のエリアとを有する一の記録媒体に記録されている認証用データを読み出し、読み出した認証用データに、上記他の記録装置からネットワークを介して送信されてきた固有のＩＤ番号が含まれているかどうかを判断し、上記判断結果に基づき、上記一の記録媒体に記録されているコンテンツデータを読み出し、読み出したコンテンツデータをネットワークを介して上記他の記録装置に送信し、上記他の記録装置は、上記一の記録装置からネットワークを介して送信されてきたデータを上記他の記録媒体に記録することを特徴とする。
【００１３】
さらに、本発明に係るコンピュータに実行させるプログラムは、上述の課題を解決するために、ネットワーク上に少なくとも一の記録装置と、他の記録装置が接続されており、当該記録装置の間で行われるデータの送受信をコンピュータにより実行させるためのプログラムにおいて、上記一の記録装置に、所定のコンテンツデータと、当該コンテンツデータを送受信する際に認証に用いる認証用データが所定のファイルシステムに準拠して記録される第１のエリアと、予め固有のＩＤ番号が記録されている第２のエリアとを有する一の記録媒体が装着され、上記他の記録装置に、所定のコンテンツデータと、当該コンテンツデータを送受信する際に認証に用いる認証用データが所定のファイルシステムに準拠して記録される第１のエリアと、予め固有のＩＤ番号が記録されている第２のエリアとを有する他の記録装置が装着されている場合に、上記他の記録装置に装着されている上記他の記録媒体から認証用データと固有のＩＤ番号を読み出す第１の読出工程と、上記第１の読出工程で読み出された認証用のデータと固有のＩＤ番号を上記一の記録装置にネットワークを介して送信する第１の送信工程と、上記第１の送信工程により上記他の記録装置からネットワークを介して送信されてきた認証用データに基づき上記他の記録装置の認証の有無を確認する認証工程と、上記一の記録媒体に記録されている認証用データを読み出す第２の読出工程と、上記第１の送信工程によりネットワークを介して送信されてきた固有のＩＤ番号が、上記第２の読出工程で読み出した認証用データに含まれているかどうかを判断する判断工程と、上記判断工程の判断結果に基づき、上記一の記録媒体からコンテンツデータを読み出す第３の読出工程と、上記第３の読出工程で読み出したコンテンツデータをネットワークを介して上記他の記録装置に送信する第２の送信工程と、上記第２の送信工程によりネットワークを介して送信されてきたコンテンツデータを他の記録媒体に記録する記録工程をコンピュータに実行させる。
【発明の効果】
【００１４】
本発明に係る記録媒体は、コンテンツデータ及び当該コンテンツデータを送受信する際に認証に用いる認証用データが記録される第１のエリアと、予め固有のＩＤ番号が記録されている第２のエリアとを有し、当該第２のエリアがユーザの操作ではアクセスができない場所（例えば、最内周）に形成されているので、固有のＩＤ番号の流出を完全に防止することができ、当該固有のＩＤ番号をパスワード的に使用することができる。
【００１５】
また、本発明に係る記録装置及び方法並びにプログラムは、一の記録媒体の第２のエリアから読み出した媒体固有のＩＤ番号と、機器の記憶部から読み出した機器固有の識別情報を、他の記録媒体に書き込み、また、他の記録媒体の第２のエリアから読み出した媒体固有のＩＤ番号を一の記録媒体に書き込むので、一の記録媒体の第１のエリアに記録されているコンテンツデータを他の記録媒体にのみに送信可能なように、一の記録媒体と他の記録媒体を関連づけることができる。
【００１６】
さらに、本発明に係るデータ送受信システム及び方法並びにプログラムは、少なくとも一の記録装置と他の記録装置とがネットワークを介して接続されており、一の記録装置に一の記録媒体が挿入されており、他の記録装置に他の記録媒体が挿入されているときに、他の記録装置により他の記録媒体から認証用データと媒体固有のＩＤ番号を読み出し、読み出した認証用データと媒体固有のＩＤ番号をネットワークを介して一の記録装置に送信し、一の記録装置において、他の記録装置から送信されてきた認証用データに基づき装置同士の認証を行い、また、他の記録装置から送信されてきた他の記録媒体固有のＩＤ番号が、一の記録媒体に記録されている認証用データに含まれているかどうかを判断し、判断結果に基づき、一の記録媒体に記録されているコンテンツデータを読み出し、読み出したコンテンツデータをネットワークを介して他の記録装置に送信するので、関連づけられた記録媒体間のみでデータの送受信を可能とし、ユーザに対して煩雑なパスワードの設定をさせることなく、安全性の高いデータ送受信システムを構築することができる。
【発明を実施するための最良の形態】
【００１７】
以下、本発明の実施の形態としての記録媒体、記録再生装置及び方法並びにプログラム、データ送受信システム及び方法並びにプログラムについて説明する。
【００１８】
この実施の形態では、一例として、磁界変調方式でデータ記録が行われる光磁気ディスクであるミニディスク（ＭＤ）に対する記録再生システム（ミニディスクシステム）に対応したものとする。説明は、１．ディスク仕様及びエリア構造、２．ディスクの管理構造、３．ＵＴＯＣ、４．クラスタ構造、５．データトラックにおけるＦＡＴファイルシステム実現例、６．記録再生装置の構成、７．データ送受信システム、の順番で説明する。
【００１９】
１．ディスク仕様及びエリア構造
本実施例で採用するディスクは、ミニディスク方式のディスク上に、所定のディスクフォーマットに基づきオーディオデータを記録できるとともに、例えばコンピュータユースの各種データを記録できるものである。なお、説明上の区別のため本明細書では、「オーディオトラック」、「データトラック」、「ＭＤオーディオデータ」及び「高密度データ」という文言を用いる。
【００２０】
「オーディオトラック」は、ミニディスクシステムにおけるオーディオデータの１区画であり、例えば音楽等の場合の１曲に相当する。このオーディオトラックとして記録されるオーディオデータは、ＡＴＲＡＣ(Adaptive Transform Acoustic Coding)圧縮方式で圧縮され、ＡＣＩＲＣ誤り訂正方式及びＥＦＭ変調としての「第１の変調方式」で変調されたデータである。そして、この「オーディオトラック」に記録される第１の変調方式によるオーディオデータを「ＭＤオーディオデータ」とする。
【００２１】
「データトラック」は、例えばパーソナルコンピュータや配信システム等において利用できる汎用データが記録された区画（トラック）である。詳しくは、後述するが、「データトラック」内は、例えばＦＡＴファイルシステム等の汎用ファイルシステムが構築される。記録される実際のデータ種別としては、コンピュータ用途のソフトウェアデータ、アプリケーションプログラム、テキストファイル、画像（動画／静止画）ファイル、音楽等のオーディオデータファイル等多様であり、用途に応じてあらゆるデータ記録に利用できる。
【００２２】
そして、これら各種データは、ＲＬＬ（１、７）ＰＰ（ＲＬＬ；Run Length Limited、ＰＰ：Parity preserve/Prohibit rmtr(repeated minimum transition runlength)）変調、ＲＳ−ＬＤＣ誤り訂正方式及びビタビ復調方式を用いることで高密度記録を実現する「第２の変調方式」によるデータとして記録される。そして、「データトラック」に記録される第２の変調方式によるデータを「高密度データ」とする。
【００２３】
図１に、オーディオ用ミニディスク（及びＭＤ−ＤＡＴＡ）と、本実施例で採用するディスクの規格を比較して示す。ミニディスク（及びＭＤ−ＤＡＴＡ）のフォーマットとしては、トラックピッチは、１．６μｍ、ビット長は、０．５９μｍ／ｂｉｔとなる。また、レーザ波長λ＝７８０ｎｍとされ、光学ヘッドの開口率ＮＡ＝０．４５とされる。
【００２４】
記録方式としては、グルーブ記録方式を採っている。つまり、グルーブ（ディスク盤面上の溝）をトラックとして記録再生に用いるようにしている。
【００２５】
アドレス方式としては、シングルスパイラルによるグルーブ（トラック）を形成したうえで、このグルーブの両側に対してアドレス情報としてのウォブルを形成したウォブルドグルーブを利用する方式を採るようにされている。
【００２６】
なお、本明細書では、ウォブリングにより記録される絶対アドレスをＡＤＩＰ（Address in Pregroove）とも呼ぶ。
【００２７】
記録データの変調方式としては、ＥＦＭ（８−１４変換）方式を採用している。また、誤り訂正方式としては、ＡＣＩＲＣ(Advanced Cross Interleave Reed-Solomon Code)が採用され、データインターリーブには、畳み込み型を採用している。データの冗長度は、４６．３％となる。
【００２８】
また、データの検出方式は、ビットバイビット方式である。ディスク駆動方式としては、ＣＬＶ(Constant Linear Velocity)が採用されており、ＣＬＶの線速度としては、１．２ｍ／ｓとされる。
【００２９】
そして、記録再生時の標準のデータレートとしては、１３３ｋＢ／ｓとされ、記録容量としては、１６４ＭＢ（ＭＤ−ＤＡＴＡでは、１４０ＭＢ）となる。また、クラスタというデータ単位がデータの最小書換単位とされるが、このクラスタは、３２個のメインセクタと４個のリンクセクタによる３６セクタで構成される。
【００３０】
一方、本実施例で採用するディスクは、トラックピッチは、１．３μｍ、ビット長は、０．１６μｍ／ｂｉｔとされ、ともにオーディオ用ミニディスクよりも短くなっていることが分かる。
【００３１】
但し、レーザ波長はλ＝７８０ｎｍ、光学ヘッドの開口率はＮＡ＝０．４５、記録方式はグルーブ記録方式、アドレス方式はシングルスパイラルによるグルーブ（トラック）を形成したうえで、このグルーブの両側に対してアドレス情報としてのウォブルを形成したウォブルドグルーブを利用する方式を採る。つまりこれらの点では、オーディオ用ミニディスクと同様であり、記録再生装置での光学系の構成やＡＤＩＰアドレス読出方式、サーボ処理については、同様となることから互換性が維持される。
【００３２】
記録データの変調方式としては、高密度記録に適合するとされるＲＬＬ（１、７）ＰＰ方式が採用され、誤り訂正方式としては、より訂正能力の高いＢＩＳ（Burst Indicator Subcode）付きのＲＳ−ＬＤＣ（Reed Solomon−Long Distance Code）方式を用いている。データインターリーブには、ブロック完結型が採用される。データの冗長度は、２０．５０％とされる。また、データの検出方式は、パーシャルレスポンスＰＲ（１，２，１）ＭＬを用いたビタビ復号方式とされる。
【００３３】
また、ディスク駆動方式は、ＣＬＶで、その線速度としては、２．７ｍ／ｓとされ、記録再生時の標準のデータレートとしては、６１４ｋＢ／ｓとされる。そして、記録容量としては、２９７ＭＢを得ることができる。変調方式がＥＦＭからＲＬＬ（１，７）ＰＰ方式とされることでウインドウマージンが０．５から０．６６６となり、この点で、１．３３倍の高密度化が実現できる。
【００３４】
また、物理フォーマットとしてＣＩＲＣ方式から、ＢＩＳ付きのＲＳ−ＬＤＣ方式とセクタ構造の差異とビタビ復号を用いる方式とされることで、データ効率は、５３．７％から７９．５％となり、この点で１．４８倍の高密度化が実現できる。
【００３５】
これらにより総合的には、１．９７倍（約２倍）のデータ容量が実現される。つまり記録容量は、２９７ＭＢという、オーディオ用ミニディスクの約２倍にすることができる。データの最小書換単位とされるクラスタは、１６セクタで構成される。
【００３６】
なお、上述したように本実施例で採用するディスクは、オーディオトラックとデータトラックを混在記録できるものである。そして本実施例で採用するディスクにオーディオトラックが記録される場合、ＭＤオーディオデータの変調方式は、オーディオ用ミニディスクにおいて示したようにＥＦＭ変調及びＡＣＩＲＣ方式となる。
【００３７】
本実施例で採用するディスク上の各種のエリア構造例を図２，図３，図４に模式的に示す。図２，図３，図４のそれぞれに示すように、ディスクの最内周側は、ＰＴＯＣ（プリマスタードＴＯＣ）領域とされ、ここは、物理的な構造としては、プリマスタードエリアとなる。すなわち、エンボスピットによる再生専用データが記録されるエリアであり、その再生専用データとして管理情報であるＰＴＯＣが記録される。
【００３８】
プリマスタードエリアより外周は、レコーダブルエリア（光磁気記録可能な領域）とされ、記録トラックの案内溝としてのグルーブが形成された記録再生可能領域となっている。
【００３９】
このレコーダブルエリアの最内周側は、ＵＴＯＣ領域とされる。なお、詳しい説明は、省略するが、ＵＴＯＣ領域では、プリマスタードエリアとの緩衝エリアや、レーザ光の出力パワー調整等のために用いられるパワーキャリブレーションエリアが設けられ、また、ＵＴＯＣ領域内の特定の３クラスタの区間にＵＴＯＣデータが３回繰り返し記録される。
【００４０】
ＵＴＯＣの内容について詳しくは、後述するが、１つのクラスタ（後述するＡＤＩＰクラスタ）内の３２個の各メインセクタ（ＳＣ00〜ＳＣ1F）においてデータフォーマットが規定され、それぞれ所定の管理情報が記録される。すなわち、プログラムエリアに記録されている各トラックのアドレス、フリーエリアのアドレス等が記録され、また、各トラックに付随するトラックネーム、記録日時等の情報が記録できるようにＵＴＯＣセクタが規定されている。
【００４１】
レコーダブルエリアにおいてＵＴＯＣ領域より外周側がデータエリアとなり、このデータエリアは、オーディオトラックやデータトラックの記録に用いられるエリアとなる。
【００４２】
本実施例で採用するディスクにおけるデータエリアの使用態様としては、オーディオトラックとデータトラックをランダムに混在記録可能とすることが考えられる。
【００４３】
この場合、例えば図２のように、データエリアにおいて、１又は、複数のオーディオトラックが記録されたオーディオ記録領域ＡＡと、１又は、複数のデータトラックが記録された高密度データ記録領域ＤＡが、それぞれ任意の位置に形成される。なお、後にＵＴＯＣの説明においても述べるが、１つのオーディオトラックや１つのデータトラックは、ディスク上で必ずしも物理的に連続して記録される必要はなく、複数のパーツ（パーツとは、物理的に連続して記録される区間）に分けられていてもよい。従って、例えば図２のように物理的に離れた２つの高密度データ記録領域ＤＡが存在する場合でも、データトラックの数としては、１つの場合もあり、複数の場合もある。
【００４４】
また、本実施例で採用するディスクにおけるデータエリアのほかの使用態様としては、オーディオトラックが記録される領域とデータトラックが記録される領域を分割することも考えられる。例えば、予めＰＴＯＣの管理により領域を分割設定したり、ディスクを使用する前の初期化／フォーマット等により領域の分割を行う場合である。この場合、例えば図３のように、ディスク内周側に１又は、複数のデータトラックが記録される高密度データ記録領域ＤＡが設定され、ディスク外周側に１又は、複数のオーディオトラックが記録されるオーディオ記録領域ＡＡが設定される。このように高密度データ記録領域ＤＡとオーディオ記録領域ＡＡがディスク上で分割設定される場合、記録再生装置は、記録再生対象がＭＤオーディオデータであるか高密度データであるかにより、それぞれ対応する領域にアクセスして記録／再生を行うものとなる。
【００４５】
なお、領域設定は、図２の場合とは、逆に、ディスク外周側が高密度データ記録領域ＤＡ、ディスク内周側がオーディオ記録領域ＡＡとされてもよいし、物理的に離間した複数の高密度データ記録領域ＤＡや、同じく物理的に離間した複数のオーディオ記録領域ＡＡが形成されてもよい。但し、図２のように高密度データ記録領域ＤＡが内周側に設定されると、アクセスの点で有利となる。高密度データ記録領域ＤＡに記録されるデータトラックは、例えばコンピュータ用途のデータが記録されるが、その場合、ＭＤオーディオデータの場合に比べて短いデータ区間でアクセスが繰り返し行われることが多いことが想定される。ここで本実施例で採用するディスクは、ＣＬＶ方式であり、内周側の方がディスク１回転に要する時間が短いという事情を鑑みると、内周側は、アクセスの際のディスク回転待ち時間が外周側に比べて短縮されることを意味し、つまりアクセス時間を短くできることになるためである。
【００４６】
また、本実施例で採用するディスクにおけるデータエリアのさらに他の使用態様としては、図４に示すように、データエリアの全域を、データトラックが記録される高密度データ記録領域ＤＡとすることも考えられる。
【００４７】
図２に示したように、オーディオトラックとデータトラックを任意に混在記録可能とする場合は、結果的にデータトラックのみが記録され、図４の状態となることもあるが、予め、図４のようにデータトラックの記録のための専用ディスクとされてもよいものである。
【００４８】
２．ディスクの管理構造
図５により本実施例で採用するディスクの管理構造を説明する。上述したように、管理情報としては、まず通常のミニディスクシステムで採用されているＰＴＯＣ、ＵＴＯＣが記録される。ＰＴＯＣは、書き換え不能な情報としてピットにより記録される。このＰＴＯＣには、ディスクの基本的な管理情報として、ディスクの総容量、ＵＴＯＣ領域におけるＵＴＯＣ位置、パワーキャリブレーションエリアの位置、データエリアの開始位置、データエリアの終了位置（リードアウト位置）等が記録されている。
【００４９】
一方、レコーダブルエリアに記録されるＵＴＯＣは、トラック（オーディオトラック／データトラック）の記録、消去等に応じて書き換えられる管理情報であり、各トラック（トラックを構成するパーツ）について開始位置、終了位置及びモードを管理する。また、データエリアにおいて未だトラックが記録されていないフリーエリア、つまり書込可能領域としてのパーツも管理する。
【００５０】
図５では、一例として、データエリア内に、３つのオーディオトラックと１つのデータトラックが存在する状態を示しているが、この場合、ＵＴＯＣでは、この合計４つのトラックをそれぞれ管理することになる。
【００５１】
３つのオーディオトラックは、例えば３つの楽曲データとされ、これは、ＡＴＲＡＣ圧縮され、ＡＣＩＲＣ及びＥＦＭ方式（第１の変調方式）で変調されたＭＤオーディオデータによるトラックとなる。なお、ＵＴＯＣ及びＰＴＯＣも、所定のディスクシステムに準拠する方式で記録されるものであり、つまりＵＴＯＣ及びＰＴＯＣとしてのデータは、第１の変調方式のデータとされる。
【００５２】
一方、データトラックは、ＲＳ−ＬＤＣ及びＲＬＬ（１、７）ＰＰ方式（第２の変調方式）で変調された高密度データによって形成されるトラックとされる。ＵＴＯＣ上では、このデータトラック全体を、ＭＤオーディオデータによらない１つのトラックとして管理する。つまりＵＴＯＣからは、ディスク上における、データトラックの全体としての１又は、複数のパーツ位置を管理するものとなる。
【００５３】
また、データトラックは、高密度データクラスタを最小記録単位として構成される。データトラック内には、該データトラックに含まれる高密度データクラスタを管理するクラスタアトリビュートテーブル（以下「ＣＡＴ」という。）が記録される。ＣＡＴでは、データトラックを構成する高密度データクラスタのそれぞれについての属性（公開可能／不可、正常／不良等）を管理する。
【００５４】
このデータトラック内で公開不可とされる高密度データクラスタを用いて、著作権保護等のために用いられる、ディスクに固有のＩＤ番号（以下「ディスクＩＤ」という。）や、データ改竄チェックのためのハッシュ値（hash）が記録される。もちろんこれ以外にも、各種の非公開情報が記録されてもよい。この公開不可とされる領域には、特別に許可された機器のみが限定的にアクセスすることができるものとする。
【００５５】
データトラック内で公開可能とされる高密度データクラスタによる領域（エクスポータブルエリア）は、例えばＵＳＢやＳＣＳＩ等の汎用データインターフェイスを経由して、外部のコンピュータ等がアクセスし、記録領域として利用できる領域とされる。例えば、この図５の場合、エクスポータブルエリアには、ＦＡＴ及びＦＡＴ管理のデータファイルによる、ＦＡＴファイルシステムが構築されている状態を示している。
【００５６】
つまり、エクスポータブルエリアに記録されるデータは、ＵＴＯＣによっては、管理されず、ＦＡＴ等の汎用的な管理情報により管理される形態となり、ミニディスクシステムに準拠しない外部のコンピュータ等によって認識可能なデータとなる。
【００５７】
また、エクスポータブルエリアは、図６に示すように、通常のファイルであるコンテンツファイルと、データの送受信を許可するディスクの情報が含まれているコンパニオン・リスト・ファイルと、データの送受信要求が行われた際の各種情報が記録されるログファイルとがＦＡＴファイルシステムに準拠して記録されるエリアと、ディスクＩＤが記録されているエリアとからなる。ログファイルには、実際にデータの送受信をしたディスクのディスクＩＤ等が記録される。
【００５８】
なお、このような構造のデータトラックが、ディスク上に複数記録される場合もある。その場合、各データトラックが、それぞれ１つのトラックとしてＵＴＯＣから管理され、それぞれのデータトラック内のエクスポータブルエリア内のデータについては、ＦＡＴ等により管理される。例えば、各データトラックがそれぞれ独自にＦＡＴファイルシステムを持つものとなる。或いは複数のデータトラックにわたって１つのＦＡＴファイルシステムが記録されるようにしてもよい。
【００５９】
ここで、コンパニオン・リスト・ファイルの詳細について図７を用いて以下に述べる。コンパニオン・リスト・ファイルは、データの送受信を行うことを許可する他のディスクを登録するための情報をリスト化したものであって、許可する他のディスクごとに一つのID Descriptorが生成される。また、ID Descriptorは、ディスクに予め記録されているディスクＩＤと、ユーザがディスクＩＤに任意に付した名前（以下「ディスク・ネーム」という。）と、ディスクが挿入される記録再生装置に付されているの製造番号等（以下「レコーダーＩＤ」という。）と、機器がネットワーク上の何処に接続されているかを示すネットワークＩＤ（例えば、ＩＰアドレス）とからなっている。例えば、機器がパーソナルコンピュータに接続され、パーソナルコンピュータを介してネットワーク上に接続されている他の機器とデータの送受信を行う場合には、当該パーソナルコンピュータのＩＰアドレスを読み出し、読み出したＩＰアドレスをネットワークＩＤとして利用しても良い。
【００６０】
また、ディスクＩＤは、データトラック内であって、ＦＡＴ管理されないデータとする例を上述したが、ＦＡＴ管理されない情報とするなら、どのような論理形態で記録されてもよい。例えば、ＵＴＯＣから直接的に管理されるトラックとして、非公開情報用のトラックを設けるようにしたり、或いはＵＴＯＣ／ＰＴＯＣ内に記録してもよい。さらに、ＵＴＯＣ領域内で、ＵＴＯＣに使用されていない部分（例えば、ディスク最内周）を用いて、非公開情報用の記録領域を設けてもよい。
【００６１】
３．ＵＴＯＣ
ＵＴＯＣの管理方式について説明する。ＵＴＯＣには、ディスク上に記録されるＭＤオーディオデータによるトラック及び高密度データによるデータトラックについてトラック単位で管理を行う。
【００６２】
なお、所定のディスクシステムでは、ウォブリンググルーブによるＡＤＩＰが物理アドレスとして付与されており、オーディオトラック（ミニディスクシステムにおける音楽等のトラック）のデータについては、ＡＤＩＰによって規定されるクラスタ（以下「ＡＤＩＰクラスタ」という。）が最小書換単位となる。
【００６３】
このクラスタの構造については、後述するが、１つのＡＤＩＰクラスタは、３２個のメインセクタと４個のリンクセクタによる３６セクタ（２３５２バイトのＡＤＩＰセクタ）で構成される。ＡＤＩＰとしての物理アドレスは、セクタ単位で付与されている。つまり物理アドレスは、上位値としてのＡＤＩＰクラスタアドレスと下位値としてのＡＤＩＰセクタアドレスからなる。
【００６４】
ＵＴＯＣデータは、上述したＵＴＯＣ領域における特定のＡＤＩＰクラスタにおいて記録される。そしてＵＴＯＣデータとしては、当該ＡＤＩＰクラスタ内のセクタ毎に、その内容が定義されている。ＵＴＯＣセクタ０（当該ＡＤＩＰクラスタ内の先頭のＡＤＩＰセクタ）は、トラックやフリーエリアとしてのパーツを管理する。ＵＴＯＣセクタ１，セクタ４は、トラックに対応して文字情報を管理する。
【００６５】
ＵＴＯＣセクタ２は、トラックに対応して記録日時を管理する。ここでは、セクタ１、セクタ２、セクタ４については、説明を省略し、ＵＴＯＣセクタ０について述べる。
【００６６】
ＵＴＯＣセクタ０は、記録された楽曲等のオーディオトラックや新たにトラックが記録可能なフリーエリア、さらにデータトラックについての管理情報が記録されているデータ領域とされる。例えば、ディスクにトラックの記録を行おうとする際には、記録再生装置は、ＵＴＯＣセクタ０からディスク上のフリーエリアを探し出し、ここにデータ（ＭＤオーディオデータ又は高密度データ）を記録していくことになる。また、再生時には、再生すべきトラックが記録されているエリアをＵＴＯＣセクタ０から判別し、そのエリアにアクセスして再生動作を行う。
【００６７】
図８にＵＴＯＣセクタ０の構造を示す。ＴＯＣセクタ０のデータ領域（２３５２バイト（４バイト×５８８））は、先頭位置にオール０又は、オール１の１バイトデータが並んで形成される同期パターンが記録される。
【００６８】
続いてＡＤＩＰアドレスに対応した値として、クラスタアドレス(Cluster H)(Cluster L)及びセクタアドレス(Sector)となるアドレスが３バイトにわたって記録され、さらにモード情報(MODE)が１バイト付加され、これらをまとめてヘッダとされる。ここでの３バイトのアドレスは、そのセクタ自体のアドレスである。
【００６９】
続いて所定バイト位置に、メーカーコード、モデルコード、最初のトラックのトラックナンバ(First TNO）、最後のトラックのトラックナンバ（Last TNO）、セクタ使用状況(Used sectors)、ディスクシリアルナンバ、ディスクＩＤ等のデータが記録される。
【００７０】
さらに、使用者が録音を行って記録されているトラック（楽曲等）の領域やフリーエリア等を後述するテーブル部に対応させることによって識別するため、ポインタ部として各種のポインタ(P-DFA，P-EMPTY，P-FRA，P-TNO1〜P-TNO255)が記録される領域が用意されている。
【００７１】
そして、ポインタ(P-DFA〜P-TNO255)に対応させることになるテーブル部として(01h)〜(FFh)までの２５５個のパーツテーブルが設けられ、それぞれのパーツテーブルには、あるパーツについて起点となるスタートアドレス、終端となるエンドアドレス、そのパーツのモード情報（トラックモード）が記録されている。スタートアドレス、エンドアドレスは、ＡＤＩＰアドレスとしてのクラスタ／セクタアドレスに相当する値とされる。さらに各パーツテーブルで示されるパーツが他のパーツへ続いて連結される場合があるため、その連結されるパーツのスタートアドレス及びエンドアドレスが記録されているパーツテーブルを示すリンク情報が記録できるようにされている。なお、パーツとは、１つのトラック内で、データが物理的に連続して記録されているトラック部分のことをいう。そして、スタートアドレス、エンドアドレスとして示されるアドレスは、１つの楽曲（トラック）を構成する１又は、複数の各パーツを示すアドレスとなる。
【００７２】
この種の記録再生装置では、１つの楽曲等のトラックのデータを物理的に不連続に、すなわち、複数のパーツにわたって記録されていてもパーツ間でアクセスしながら再生していくことにより再生動作に支障はないため、使用者が記録する楽曲等については、記録可能エリアの効率使用等の目的から、複数パーツに分けて記録する場合もある。
【００７３】
そのため、リンク情報が設けられ、例えば、各パーツテーブルに与えられたナンバ(01h)〜(FFh)によって、連結すべきパーツテーブルを指定することによってパーツテーブルが連結できるようになされている。つまりＵＴＯＣセクタ０におけるテーブル部においては、１つのパーツテーブルは、１つのパーツを表現しており、例えば３つのパーツが連結されて構成される楽曲については、リンク情報によって連結される３つのパーツテーブルによって、そのパーツ位置の管理が行われる。
【００７４】
なお、実際には、リンク情報は、所定の演算処理によりＵＴＯＣセクタ０内のバイトポジションとされる数値で示される。すなわち、３０４＋（リンク情報）×８（バイト目）としてパーツテーブルを指定する。
【００７５】
ＵＴＯＣセクタ０のテーブル部における(01h)〜(FFh)までの各パーツテーブルは、ポインタ部におけるポインタ(P-DFA，P-EMPTY，P-FRA，P-TNO1〜P-TNO255)によって、以下のようにそのパーツの内容が示される。
【００７６】
ポインタP-DFAは、ディスク上の欠陥領域について示しており、傷等による欠陥領域となるトラック部分（＝パーツ）が示された１つのパーツテーブル又は、複数のパーツテーブル内の先頭のパーツテーブルを指定している。つまり、欠陥パーツが存在する場合は、ポインタP-DFAにおいて(01h)〜(FFh)のいづれかが記録されており、それに相当するパーツテーブルには、欠陥パーツがスタート及びエンドアドレスによって示されている。また、他にも欠陥パーツが存在する場合は、そのパーツテーブルにおけるリンク情報として他のパーツテーブルが指定され、そのパーツテーブルにも欠陥パーツが示されている。そして、さらに他の欠陥パーツがない場合は、リンク情報は、例えば『００ｈ』とされ、以降リンクなしとされる。
【００７７】
ポインタP-EMPTYは、テーブル部における１又は、複数の未使用のパーツテーブルの先頭のパーツテーブルを示すものであり、未使用のパーツテーブルが存在する場合は、ポインタP-EMPTYとして、(01h)〜(FFh)のうちのいづれかが記録される。
【００７８】
未使用のパーツテーブルが複数存在する場合は、ポインタP-EMPTYによって指定されたパーツテーブルからリンク情報によって順次パーツテーブルが指定されていき、全ての未使用のパーツテーブルがテーブル部上で連結される。
【００７９】
ポインタP-FRAは、ディスク上のデータの書込可能なフリーエリア（消去領域を含む）について示しており、フリーエリアとなるトラック部分（＝パーツ）が示された１又は、複数のパーツテーブル内の先頭のパーツテーブルを指定している。つまり、フリーエリアが存在する場合は、ポインタP-FRAにおいて(01h)〜(FFh)のいづれかが記録されており、それに相当するパーツテーブルには、フリーエリアであるパーツがスタート及びエンドアドレスによって示されている。また、このようなパーツが複数個有り、つまりパーツテーブルが複数個有る場合は、リンク情報により、リンク情報が『００ｈ』となるパーツテーブルまで順次指定されている。
【００８０】
図９にパーツテーブルにより、フリーエリアとなるパーツの管理状態を模式的に示す。これは、パーツ(03h)(18h)(1Fh)(2Bh)(E3h)がフリーエリアとされている時に、この状態がポインタP-FRAに引き続きパーツテーブル(03h)(18h)(1Fh)(2Bh)(E3h)のリンクによって表現されている状態を示している。なお、上記した欠陥領域や未使用パーツテーブルの管理形態もこれと同様となる。
【００８１】
ポインタP-TNO1〜P-TNO255は、ディスクに記録されたトラックについて示しており、例えばポインタP-TNO1では、第１トラックのデータが記録された１又は、複数のパーツのうちの時間的に先頭となるパーツが示されたパーツテーブルを指定している。例えば、第１トラック（オーディオトラック）とされた楽曲がディスク上でトラックが分断されずに、つまり１つのパーツで記録されている場合は、その第１トラックの記録領域は、ポインタP-TNO1で示されるパーツテーブルにおけるスタート及びエンドアドレスとして記録されている。
【００８２】
また、例えば第２トラック（オーディオトラック）とされた楽曲がディスク上で複数のパーツに離散的に記録されている場合は、その第２トラックの記録位置を示すため各パーツが時間的な順序に従って指定される。つまり、ポインタP-TNO2に指定されたパーツテーブルから、さらにリンク情報によって他のパーツテーブルが順次時間的な順序に従って指定されて、リンク情報が『００ｈ』となるパーツテーブルまで連結される（上記、図９と同様の形態）。このように例えば２曲目を構成するデータが記録された全パーツが順次指定されて記録されていることにより、このＵＴＯＣセクタ０のデータを用いて、２曲目の再生時や、その２曲目の領域への上書き記録を行う際に、記録再生ヘッドをアクセスさせ離散的なパーツから連続的な音楽情報を取り出したり、記録エリアを効率使用した記録が可能になる。
【００８３】
データトラックが記録された場合には、あるポインタP-TNOｘに指定されるパーツテーブルに、そのデータトラックのスタートアドレス、エンドアドレス、トラックモードが記録される。もちろんデータトラックが複数のパーツで構成される場合は、オーディオトラックの場合と同様に、複数のパーツテーブルがリンク情報でリンクされて管理される。
【００８４】
ところで、各パーツテーブルには、１バイトのトラックモードが記録されるが、これは、トラックの属性情報となる。１バイトを構成する８ビットを、ｄ１（ＭＳＢ）〜ｄ８（ＬＳＢ）とすると、このトラックモードは、次のように定義されている。
ｄ１・・・０：ライトプロテクテッド（上書き消去、編集禁止）、１：ライトパーミッテッド
ｄ２・・・０：著作権有り、１：著作権無し
ｄ３・・・０：オリジナル、１：第１世代以上
ｄ４・・・０：オーディオデータ、１：他
ｄ５，ｄ６・・・０１：ノーマルオーディオ、その他：未定義
ｄ７・・・０：モノラル、１：ステレオ
ｄ８・・・０：エンファシスオフ、１：エンファシスオン
ここで、オーディオトラックについてのパーツテーブルのトラックモードでは、上記ｄ４＝０として、ＭＤオーディオデータによるトラックであることが示される。一方、データトラックについてのパーツテーブルのトラックモードでは、上記ｄ４＝１として、ＭＤオーディオデータによるトラックではないことが示される。本実施例の場合、ｄ４＝１が高密度データによるデータトラックであることを示す情報となる。
【００８５】
図１０に、ＵＴＯＣによるトラックの管理例を各種示す。図１０（ａ）（ｂ）（ｃ）は、図２に示したようにデータエリア上で任意の位置にオーディオトラック及びデータトラックを記録できる場合である。
【００８６】
図１０（ａ）では、ＵＴＯＣセクタ０で管理されるトラックＴＫ１、ＴＫ３がオーディオトラックとされ、トラックＴＫ２がデータトラックとされている場合である。この場合、ポインタP-TNO1に示されるパーツテーブルにオーディオトラックＴＫ１のスタートアドレス、エンドアドレス、トラックモードが記述される。また、ポインタP-TNO2に示されるパーツテーブルにデータトラックＴＫ２のスタートアドレス、エンドアドレス、トラックモードが記述される。このトラックモードのｄ４＝１とされる。
【００８７】
ポインタP-TNO3に示されるパーツテーブルにオーディオトラックＴＫ３のスタートアドレス、エンドアドレス、トラックモードが記述される。また、ポインタP-FRAに示されるパーツテーブルにフリーエリアのスタートアドレス、エンドアドレスが記述される。
【００８８】
図１０（ｂ）は、ＵＴＯＣセクタ０で管理されるトラックＴＫ１がデータトラックとされ、かつ、このデータトラックは、２つのパーツＴＫ１-1、ＴＫ１-2で形成されている場合である。
【００８９】
この場合、ポインタP-TNO1に示されるパーツテーブルにデータトラックＴＫ１の第１パーツＴＫ１-1のスタートアドレス、エンドアドレス、トラックモードが記述され、また、そのパーツテーブルからリンクされるパーツテーブルにデータトラックＴＫ１の第２パーツＴＫ１-2のスタートアドレス、エンドアドレス、トラックモードが記述される。これらのパーツテーブルでは、トラックモードのｄ４＝１とされる。
【００９０】
図１０（ｃ）は、ＵＴＯＣセクタ０で管理されるトラックＴＫ１、ＴＫ３の２つのトラックがデータトラックとされている場合である。この場合、ポインタP-TNO1に示されるパーツテーブルにデータトラックＴＫ１のスタートアドレス、エンドアドレス、トラックモードが記述される。また、ポインタP-TNO3に示されるパーツテーブルにデータトラックＴＫ３のスタートアドレス、エンドアドレス、トラックモードが記述される。これらのパーツテーブルでは、トラックモードのｄ４＝１とされる。
【００９１】
図１０（ｄ）は、例えば図３に示したようにデータエリア内でオーディオ記録領域ＡＡと高密度データ記録領域ＤＡが分割設定される場合等の状態であり、内周側にトラックＴＫ１としてデータトラックが記録され、外周側にオーディオトラックＴＫ２，ＴＫ３が記録されている場合である。この場合、ポインタP-TNO1に示されるパーツテーブルにデータトラックＴＫ１のスタートアドレス、エンドアドレス、トラックモードが記述される。
【００９２】
図１０（ｅ）（ｆ）は、例えば図４に示したようにデータエリアの全域が高密度データ記録領域ＤＡとされる場合の例である。図１０（ｅ）は、データエリア全域にわたる１つのデータトラックＴＫ１が記録された例である。この場合、ポインタP-TNO1に示されるパーツテーブルにデータトラックＴＫ１のスタートアドレス、エンドアドレス、トラックモードが記述される。また、図１０（ｆ）は、データエリアに２つのデータトラックＴＫ１、ＴＫ２が記録された例である。この場合、ポインタP-TNO1に示されるパーツテーブルにデータトラックＴＫ１のスタートアドレス、エンドアドレス、トラックモードが記述され、ポインタP-TNO2に示されるパーツテーブルにデータトラックＴＫ２のスタートアドレス、エンドアドレス、トラックモードが記述される。
【００９３】
これらの例に示すように、ＵＴＯＣによっては、オーディオトラックは、トラック単位で管理され、また、データトラックも、そのトラック単位で管理される。データトラック内での実際の管理は、上述したように、例えばＦＡＴファイルシステムが構築される等して行われる。
【００９４】
４．クラスタ構造
続いて本実施例で採用するディスクに採用されるクラスタ構造を説明する。
【００９５】
オーディオ用のミニディスクシステムでは、ＡＤＩＰとしての物理アドレスに対応したクラスタ／セクタ構造が採られ、本実施例で採用するディスクでも、オーディオトラックの記録再生に関しては、そのクラスタ／セクタ構造がそのまま用いられる。
【００９６】
まず、このＡＤＩＰに応じたクラスタ／セクタ構造を図１１（ａ）（ｂ）で説明する。なお、本明細書では、説明上の区別のため、ＡＤＩＰに応じたクラスタ／セクタを、「ＡＤＩＰクラスタ」及び「ＡＤＩＰセクタ」という。また、後述するが、データトラックの記録再生に関しては、異なるクラスタ／セクタ構造が採られるが、これを「高密度データクラスタ」及び「高密度データセクタ」と呼ぶ。
【００９７】
ＭＤオーディオデータについては、記録データとしてＡＤＩＰクラスタという単位毎のデータストリームが形成されるが、ミニディスクシステムでの記録トラック上は、図１１（ｂ）のようにクラスタＣＬ（ＣＬ＃（ｎ）、ＣＬ＃（ｎ＋１）・・・）が連続して形成されており、１ＡＤＩＰクラスタがＭＤオーディオデータの記録時の最小単位とされる。
【００９８】
そして、１ＡＤＩＰクラスタＣＬは、図１１（ａ）にＡＤＩＰセクタＳＣFC〜ＳＣFFとして示す４個のリンクセクタと、ＡＤＩＰセクタＳＣ00〜ＳＣ1Fとして示す３２個ののメインセクタから形成されている。すなわち、１ＡＤＩＰクラスタは、３６ＡＤＩＰセクタで構成される。１ＡＤＩＰセクタは、２３５２バイトで形成されるデータ単位である。
【００９９】
リンクセクタＳＣFC〜ＳＣFFは、記録動作の切れ目としての緩衝領域や各種動作調整その他、或いはサブデータとして設定された情報の記録に用いることができる。
【０１００】
そして、上述したＰＴＯＣデータ、ＵＴＯＣデータ、ＭＤオーディオデータ等の記録は、３２セクタのメインセクタＳＣ00〜ＳＣ1Fに行われる。リンクセクタとメインセクタは、物理的には同一のものである。
【０１０１】
ここで、このような物理的なクラスタ／セクタ構造を有するディスクに対してデータトラックを記録する場合、つまり上述した第２の変調方式によりデータ記録の線密度がＭＤオーディオデータより高められた高密度データを記録する場合を考える。
【０１０２】
線密度の高い高密度データを記録すると、ディスクに元々記録されているＡＤＩＰから得られるアドレスと、実際に記録する信号のアドレスが一致しなくなる。ランダムアクセスは、ＡＤＩＰアドレスを基準に行うことになるが、データ読出の場合は、ＡＤＩＰアドレスに基づいておおよその位置にアクセスして記録されたデータを読み出すようにすればよく、さほど大きな問題とはならない。ところが、データ書込の場合は、正確な位置にアクセスして書込を行うようにしなければ、既に記録されているデータを上書きにより消去してしまうおそれがある。また、再生時も正確な位置にアクセスできる方が、迅速なデータ読み出しのために好適であることはいうまでもない。
【０１０３】
従って、高密度データの記録再生についての高密度データクラスタ／高密度データセクタも、ＡＤＩＰアドレスから正確に把握できるようにすることが適切である。そこで、ディスクに成型記録されたＡＤＩＰアドレスを所定規則で変換して得られるデータ単位として、高密度データクラスタが把握できるようにする。
【０１０４】
さらにこの場合において、ＡＤＩＰアドレス単位であるＡＤＩＰセクタの整数倍が、高密度データクラスタとなるようにする。これによって、任意の位置への高密度データの記録時に、ディスクからのＡＤＩＰアドレスが得られてから、いつも同じタイミングで書込を開始することができるようになる。
【０１０５】
また、ＡＤＩＰアドレス単位であるＡＤＩＰクラスタ内に、整数個の高密度データクラスタが含まれるようにする。すると、ＡＤＩＰクラスタアドレスから高密度データクラスタアドレスへのアドレス変換規則が単純化され、換算のための回路又は、ソフトウェア構成が簡略化できる。
【０１０６】
このような考え方に基づいて、１ＡＤＩＰクラスタに２つの高密度データクラスタが書き込まれるようにする例を図１１（ｃ）（ｄ）に示す。図１１（ｃ）のように、各高密度データクラスタｄＣＬ（ｄＣＬ＃（２ｎ）、ｄＣＬ＃（２ｎ＋１）・・・）は、１／２ＡＤＩＰクラスタの区間に形成される。すなわち、２高密度データクラスタ区間＝１ＡＤＩＰクラスタ区間となり、１８ＡＤＩＰセクタ区間＝１高密度データクラスタ区間となる。
【０１０７】
したがって、ある区画（パーツ）において、その先頭からのＡＤＩＰクラスタ数（＝ＡＤＩＰクラスタオフセット）が＃ｎであるＡＤＩＰクラスタＣＬ＃（ｎ）に記録される２つの高密度データクラスタのオフセットは、それぞれ＃２ｎ、＃２ｎ＋１となる。つまり図１１（ｂ）（ｃ）に示すように、ＡＤＩＰクラスタＣＬ＃（ｎ）には、高密度データクラスタｄＣＬ＃（２ｎ）、ｄＣＬ＃（２ｎ＋１）が記録される。高密度データクラスタｄＣＬ＃（２ｎ）は、ＡＤＩＰクラスタＣＬ＃（ｎ）におけるＡＤＩＰセクタＳＣFC〜ＳＣ0Dの区間、高密度データクラスタｄＣＬ＃（２ｎ＋１）は、ＡＤＩＰクラスタＣＬ＃（ｎ）におけるＡＤＩＰセクタＳＣ0E〜ＳＣ1Fの区間となる。
【０１０８】
このような高密度データクラスタが、高密度データについての最小書換単位となる。そして高密度データクラスタは、１６個の高密度データセクタが含まれる構造とされる。すなわち、図１１（ｄ）に示すように、１つの高密度データクラスタの区間は、その前端にプリアンブル、後端にポストアンブルが形成され、プリアンブルとポストアンブルに挟まれた区間に１６個の高密度データセクタｄＳＣ＃０〜ｄＳＣ＃１５が配される。
【０１０９】
１つの高密度データセクタは、例えば４０９６バイトとされる。この高密度データセクタは、ＡＤＩＰアドレスと直接的な相関関係にあるものではない。なお、図１１では、１つのＡＤＩＰクラスタに２つの高密度データクラスタを配する例を示したが、１つのＡＤＩＰクラスタに３以上の高密度データクラスタを配するようにすることも考えられる。もちろん１つの高密度データクラスタが、１８ＡＤＩＰセクタの区間に限定されるものではない。
【０１１０】
これらは、第１の変調方式と第２の変調方式のデータ記録密度の差や高密度データクラスタを構成するセクタ数、１セクタのサイズの設定等、各種の設計条件に応じて決定されればよい。
【０１１１】
５．データトラックにおけるＦＡＴファイルシステム実現例
高密度データとして各種データが記録されるデータトラックの構造例を図１２で説明する。図５において述べたように、データトラックには、エクスポータブルエリアとして外部コンピュータ機器等に解放される領域が形成され、また、外部に対しては、非公開の領域が設定されて、ユニークＩＤやハッシュ値が記録される。また、データトラックを構成する高密度データクラスタは、クラスタアトリビュートテーブル（ＣＡＴ）で管理される。図１２では、エクスポータブルエリアにおいてＦＡＴファイルシステムが実現されている例を示している。
【０１１２】
この例の場合は、図１２（ｄ）（ｅ）に示すように、ディスク上で１つのデータトラックが、ＵＴＯＣにおいて２つのパーツとして管理される状態で記録されているものとしている。データトラックの第１のパーツは、図示するＡＤＩＰクラスタ＃０〜＃２の区間、第２のパーツは、ＡＤＩＰクラスタ＃３の区間とされているとする。この場合、２つのパーツは、図１２（ｅ）に模式的に示すように物理的に離れた位置となっている。
【０１１３】
このデータトラックは、４つのＡＤＩＰクラスタにおいて形成されることになるが、図１１で説明したクラスタ構造の場合は、図１２（ｃ）に示す８個の高密度データクラスタ＃０〜＃７によってデータトラックが構成されることになる。
【０１１４】
この高密度データクラスタ＃０〜＃７は、ＣＡＴにより管理され、ＣＡＴによってある高密度データクラスタは、図５に示したエクスポータブルエリア、ある高密度データクラスタは、外部から見えないエリア（hidden（secure）data area（以下「ヒドゥンデータエリア」という。））とされる。この例では、高密度データクラスタ＃０がヒドゥンデータエリアとされて、ここにユニークＩＤとしてのディスクＩＤやハッシュ値が記録される。また、この例では、高密度データクラスタ＃１〜＃７がエクスポータブルエリアとされる。
【０１１５】
このエクスポータブルエリアは、ＵＳＢやＳＣＳＩといったインターフェイスを介して外部のコンピュータ装置等から自由にアクセスできるエリアとなる。エクスポータブルエリアでの書込／読出の単位は、一般的には、５１２バイト、１０２４バイト、２０４８バイト等となりデータトラックの書換単位である高密度データクラスタよりも小さい。
【０１１６】
エクスポータブルエリアの使用方法は、接続されたコンピュータのＯＳ等に依存するが、この例では、エクスポータブルエリアにＦＡＴファイルシステムが記録されるものとしている。
【０１１７】
すなわち、図１２（ｂ）のように、例えば８１９２バイトのＦＡＴクラスタ＃０〜＃５５が形成される。また、１つのＦＡＴクラスタは、各２０４８バイトの４つのＦＡＴセクタ＃０〜＃３で形成される。ここでいうＦＡＴセクタ、ＦＡＴクラスタは、ＦＡＴファイルシステムでの扱い単位であり、上述したＡＤＩＰクラスタ又は、高密度データクラスタ、ＡＤＩＰセクタ又は、高密度データセクタに依存するものではない。例えば、このＦＡＴクラスタ＃０〜＃５５において、ＦＡＴ及びＦＡＴ管理によるデータファイルにより構成されるＦＡＴファイルシステムが格納されることになる。
【０１１８】
なお、ＦＡＴファイルシステムでのデータの扱いは、コンピュータ上では、ＦＡＴセクタ単位で行われる。しかしながら、ディスクに対する書換単位は、高密度データクラスタとなるため、例えば、ある１つのＦＡＴセクタの書換の場合も、ディスク上での書換は、そのＦＡＴセクタが含まれる高密度データクラスタの単位で行われることになる。
【０１１９】
例えば、このようにディスク上のデータトラックとして記録されたＦＡＴファイルシステムに対するＦＡＴセクタのデータの書込／読出については後述する。
【０１２０】
ヒドゥンデータエリアとされた高密度データクラスタ＃０に記録されるユニークＩＤやハッシュ値は、ＦＡＴファイルシステムのデータについての認証、改竄チェック等に用いられる。また、ヒドゥンデータエリアに対する書込／読出は、特定の機器のみが可能とされるが、その場合別途定められる相互認証のうえで暗号化して行われる。
【０１２１】
なお、図１２では、先頭の高密度データクラスタ＃０をヒドゥンデータエリアとしたが、もちろんデータトラックを構成するどの高密度データクラスタをヒドゥンデータエリアとしてもよい。
【０１２２】
６．記録再生装置の構成
つぎに、本発明に係る記録再生装置の構成と動作について以下に述べる。
【０１２３】
図１３により、本実施例で採用するディスクに対応する記録再生装置の構成を説明する。図１３には、本発明に係る記録再生装置１が、例えばパーソナルコンピュータ（ＰＣ）と接続可能なものとして示している。
【０１２４】
記録再生装置１は、装着されているディスク２に対する記録／再生を行うメディアドライブ部３と、データの入出力を行うデータ入出力部４と、データを一時的に格納するメモリ５と、記録再生装置１の全体を制御するシステムコントローラ６とを有する。
【０１２５】
メディアドライブ部３は、装着されたディスク２を図示しないスピンドルモータによってＣＬＶ方式で回転駆動させる。また、メディアドライブ部３は、ディスク２に対して記録／再生時にレーザ光を照射する光学ヘッド１０と、記録するデータによって変調された磁界をディスク２に印加する磁気ヘッド１１と、光学ヘッド１０で読み出したデータに再生信号処理を行うＲＦアンプ部１２と、記録するデータに応じて変調した信号を光学ヘッド１０に供給する記録ドライバ部１３と、ディスク２を回転等するための駆動信号を生成するモータドライバ部１４とを備える。
【０１２６】
光学ヘッド１０は、記録時には、記録トラックをキュリー温度まで加熱するための高レベルのレーザ出力を行い、また、再生時には、磁気カー効果により反射光からデータを検出するための比較的低レベルのレーザ出力を行う。このため、光学ヘッド１０には、ここでは、詳しい図示は省略するが、レーザ出力手段としてのレーザダイオード、偏光ビームスプリッタや対物レンズ等からなる光学系及び反射光を検出するためのディテクタが搭載されている。また、光学ヘッド１０に備えられる対物レンズとしては、例えば２軸機構によってディスク半径方向及びディスクに接離する方向に変位可能に保持されている。
【０１２７】
磁気ヘッド１１は、ディスク２を挟んで光学ヘッド１０と対向する位置に配置されており、記録データによって変調された磁界をディスク２に印加する動作を行う。また、図示しないが光学ヘッド１０全体及び磁気ヘッド１１をディスク半径方向に移動させためスレッドモータ及びスレッド機構が備えられている。
【０１２８】
ＲＦアンプ部１２は、光学ヘッド１０から入力された信号に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスクにトラックのウォブリングにより記録されているＡＤＩＰ情報）等を抽出する。
【０１２９】
モータドライバ部１４は、ＲＦアンプ部１２からシステムコントローラ６を介して供給されるトラッキングエラー信号ＴＥ等に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータを駆動するスピンドルモータ駆動信号となる。このようなサーボドライブ信号により、ディスク２に対するフォーカス制御、トラッキング制御及びスピンドルモータに対するＣＬＶ制御が行われることになる。
【０１３０】
データ入出力部４は、マイク等により音声を入力する音声信号入力端子２０と、音声信入力端子２０から入力された音声信号を増幅する増幅部２１と、増幅後の音声信号をデジタル変換するデジタル変換部２２と、光信号を入力する光信号入力端子２３と、システムコントローラを介して出力された音声信号を増幅する増幅部２４と、増幅部２４で増幅された音声信号をヘッドフォンへ出力する音声信号出力端子２５と、ＰＣ等にデータを送信するＵＳＢインターフェース部２６とを有する。
【０１３１】
システムコントローラ６は、記録再生装置１内の全体の制御を行うとともに、ＵＳＢインターフェース部２６に接続されているパーソナルコンピュータとの間の通信制御を行う。すなわち、システムコントローラ６は、ＵＳＢインターフェイス部２６を介して接続されたパーソナルコンピュータとの間で通信可能とされ、書込要求、読出要求等のコマンドの受信やステイタス情報その他の必要情報の送信等を行う。
【０１３２】
システムコントローラ６は、例えばディスク２がメディアドライブ部３に装着されることに応じて、ディスク２からの管理情報等の読み出しをメディアドライブ部３に指示し、読み出した管理情報等をメモリ５に格納させる。
【０１３３】
システムコントローラ６は、ＰＴＯＣ、ＵＴＯＣの管理情報を読み込ませることで、ディスク２のトラック記録状態を把握でき、また、ＣＡＴを読み込ませることによりデータトラック内の高密度データクラスタ構造を把握でき、パーソナルコンピュータからのデータトラックに対するアクセス要求に対応できる状態となる。また、ディスクＩＤやハッシュ値により、ディスク認証その他の処理を行ったり、或いはこれらの値をパーソナルコンピュータに送信して処理させることができる。
【０１３４】
また、パーソナルコンピュータからのあるＦＡＴセクタの読み出し要求があった場合は、システムコントローラ６は、メディアドライブ部３に、当該ＦＡＴセクタを含む高密度データクラスタの読み出しを実行させる。そしてシステムコントローラ６は、読み出した高密度データクラスタのデータから、要求されたＦＡＴセクタのデータを抽出し、ＵＳＢインターフェイス部を介してパーソナルコンピュータに送信する。
【０１３５】
パーソナルコンピュータからのあるＦＡＴセクタの書込要求があった場合は、システムコントローラ６は、メディアドライブ部３に、まず当該ＦＡＴセクタを含む高密度データクラスタの読み出しを実行させる。そして、システムコントローラ６は、パーソナルコンピュータからのＦＡＴセクタのデータ（記録データ）をＵＳＢインターフェイスを介してメモリ５上で該当するＦＡＴセクタのデータの書換えを実行させる。
【０１３６】
そして、システムコントローラ６９は、必要なＦＡＴセクタが書き換えられた状態で先ほど読み出された高密度データクラスタのデータを、記録データとしてメディアドライブ部３に転送させる。メディアドライブ部３では、当該高密度データクラスタの記録データを第２の変調方式で変調してディスク２に書き込む。
【０１３７】
なお、以上は、データトラックの記録再生のための制御であり、ＭＤオーディオデータ（オーディオトラック）の記録再生時のデータ転送は、図示しないオーディオ処理部を介して行われる。
【０１３８】
ここで、一方のディスク（以下「ディスク２Ａ」という。）から他方のディスク（以下「ディスク２Ｂ」という。）へデータの送信を可能とするため処理について、図１４に示すフローチャートを用いて以下に説明する。なお、以下では、一方の記録再生装置（以下「記録再生装置１Ａ」という。）により、ディスク２Ａからディスク２Ｂにデータの送信を可能とするようにディスク同士を関連付ける手順を示す。また、記録再生装置１Ａは、各種のメッセージを表示する表示部を有していることとする。
【０１３９】
ステップＳ１において、記録再生装置１Ａは、ディスク２Ａが挿入されたことを確認する。ディスク２Ａが挿入されている場合にはステップＳ２に進み、ディスク２Ａが挿入されていない場合には、ディスク２Ａの挿入を促す旨のメッセージを表示部に表示する。
【０１４０】
ステップＳ２において、記録再生装置１Ａは、ディスク２Ａから固有のディスクＩＤを読み出す。
【０１４１】
ステップＳ３において、記録再生装置１Ａは、機器の番号（例えば、製造番号）を読み出し、読み出した機器の番号と、ステップＳ２で読み出したディスク２ＡのディスクＩＤからID DescriptorＡを生成する。なお、記録再生装置１Ａは、ディスクＩＤにディスク・ネームが付されている場合には、ID DescriptorＡにディスク・ネームも含まれることとし、また、機器がパーソナルコンピュータを介してネットワークに接続されている場合には、当該パーソナルコンピュータのＩＰアドレスを読み出し、これをID DescriptorＡのネットワークＩＤとする。
【０１４２】
ステップＳ４において、記録再生装置１Ａは、ディスク２Ａを取り出し、ディスク２Ｂの挿入を促す旨のメッセージを表示部に表示する。ユーザは、表示部のメッセージに従って、記録再生装置１Ａからディスク２Ａを取りだし、ディスク２Ｂを挿入する。
【０１４３】
ステップＳ５において、記録再生装置１Ａは、挿入されているディスク２Ｂから固有のディスクＩＤを読み出す。
【０１４４】
ステップＳ６において、記録再生装置１Ａは、ステップＳ４で読み出したディスク２Ｂの固有のディスクＩＤに基づきID DescriptorＢを生成する。
【０１４５】
ステップＳ７において、記録再生装置１Ａは、ステップＳ３で生成したディスク２ＡのID DescriptorＡをディスク２Ｂのコンパニオン・リスト・ファイルに記録する。
【０１４６】
ステップＳ８において、記録再生装置１Ａは、ディスク２Ｂを取り出し、ディスク２Ａの挿入を促すメッセージを表示部に表示する。
【０１４７】
ステップＳ９において、記録再生装置１Ａは、挿入されているディスク２Ａのコンパニオン・リスト・ファイルにステップＳ６で生成したID DescriptorＢを記録する。
【０１４８】
したがって、本願発明に係る記録再生装置は、装着されているディスク２Ａから固有のディスクＩＤを読み出し、機器の固有の番号を読み出し、ディスク２ＡのディスクＩＤと機器の固有の番号とからID DescriptorＡを生成し、ディスク２Ａからディスク２Ｂに交換されたとき、ディスク２ＢにID DescriptorＡを記録し、ディスク２Ｂから固有のディスクＩＤを読み出し、読み出した固有のディスクＩＤからID DescriptorＢを生成し、ディスク２Ｂからディスク２Ａに交換されたとき、ディスク２ＡにID DescriptorＢを記録することにより、ディスク２Ａとディスク２Ｂとを関連付けるので、ネットワークを介して、ディスク２Ａに記録されているデータをディスク２Ｂにのみ送信することが可能となり、ユーザにパスワードの設定等の煩わしい作業を行わせることなくディスク２に記録されたデータを特定の者のみの間で安全に送受信を行わせることができる。
【０１４９】
なお、記録再生装置１Ａは、ディスク対応付けボタンを有し、ユーザが当該ボタンを押圧することにより、ステップＳ１〜ステップＳ９の動作が自動的に行われるような構成であっても良い。また、本願に係る発明は、コンピュータにステップＳ１〜ステップＳ８を実行させるためのプログラムであっても良い。
【０１５０】
７．データ送受信システム
つぎに、記録再生装置１がネットワークを介して複数台接続されている場合に、当該装置間でデータを送受信する際のデータ送受信システム７について、図１５に示すフローチャートに従って説明する。なお、ディスク２Ａとディスク２Ｂとは、上述したように記録再生装置１Ａによりネットワークを介してデータの送受信ができるように関連づけれているものとする。
【０１５１】
ステップＳ１０において、他方の記録再生装置（以下「記録再生装置１Ｂ」という。）は、挿入されているディスク２Ｂに記録されているコンパニオン・リスト・ファイルからID DescriptorＢを読み出す。なお、記録再生装置１Ｂは、ディスク２Ｂに記録されているコンパニオン・リスト・ファイルに複数のID Descriptorが含まれている場合には、ユーザが所望するID Descriptorを選択するようにしても良い。
【０１５２】
ステップＳ１１において、記録再生装置１Ｂは、ディスク２Ｂから読み出したID DescriptorＢからネットワークＩＤを抽出する。
【０１５３】
ステップＳ１２において、記録再生装置１Ｂは、抽出したネットワークＩＤに基づき、ネットワーク上に接続されている記録再生装置１Ａを特定する。なお、記録再生装置１Ｂは、記録再生装置１Ａを特定した後、記録再生装置１Ａが所定の装置かどうかの確認（認証）を行っても良い。
【０１５４】
ステップＳ１３において、記録再生装置１Ｂは、ディスク２Ｂに予め記録されている固有のディスクＩＤを読み出し、ネットワークを介して記録再生装置１Ａに送信する。
【０１５５】
ステップＳ１４において、記録再生装置１Ａは、記録再生装置１ＢからディスクＩＤが送信されたとき、挿入されているディスク２Ａに記録されているコンパニオン・リスト・ファイルを読み出し、当該コンパニオン・リスト・ファイルに記録されている全てのID DescriptorにステップＳ１３で記録再生装置１Ｂから送信されてきたディスクＩＤがあるかどうか確認する。なお、記録再生装置１ＢからディスクＩＤが送信されたときに、記録再生装置１Ａにディスク２Ａが挿入されていなかった場合には、記録再生装置１Ａの表示部にディスクの挿入を促す旨のメッセージを表示しても良い。ディスク２Ａのコンパニオン・リスト・ファイルのID Descriptorのいずれかに、記録再生装置１Ｂから送信されてきたディスクＩＤが含まれていた場合には、ステップＳ１５に進む。
【０１５６】
また、ディスク２Ａのコンパニオン・リスト・ファイルのID Descriptorのいずれにも、記録再生装置１Ｂから送信されてきたディスクＩＤが含まれていなかった場合には、ネットワークを介して、記録再生装置１Ｂにその旨を通知する。なお、ディスク２Ａのコンパニオン・リスト・ファイルに記録されているID Descriptorのいずれにも、記録再生装置１Ｂから送信されてきたディスクＩＤが含まれていなかった場合には、記録再生装置１Ａの表示部に他のディスクに交換する旨のメッセージを表示しても良い。
【０１５７】
ステップＳ１５において、記録再生装置１Ａは、挿入されているディスク２Ａが確かにディスク２Ｂとデータの送受信が可能である旨のメッセージをネットワークを介して記録再生装置１Ｂに送信する。
【０１５８】
ステップＳ１６において、記録再生装置１Ｂは、データの送信を要求する旨のデータ送信要求信号を生成し、ネットワークを介して記録再生装置１Ａに送信する。
【０１５９】
ステップＳ１７において、記録再生装置１Ａは、記録再生装置１Ｂから供給されたデータ送信要求信号に応じて、ディスク２Ａからデータを読み出し、読み出したデータをネットワークを介して記録再生装置１Ｂに送信する。
【０１６０】
ステップＳ１８において、記録再生装置１Ｂは、送信されてきたデータをディスク２Ｂに記録する。
【０１６１】
なお、上述例では、ネットワーク上に記録再生装置１Ａ及び記録再生装置１Ｂとが接続されている例を示したが、複数台の記録再生装置が接続されていても、ID Descriptorに含まれているネットワークＩＤとして用いているＩＰアドレスは固有のアドレスなので、ネットワーク上に存在していれば必ず所望の記録再生装置を特定することができる。
【０１６２】
したがって本願発明に係るデータ送受信システムは、ネットワーク上に複数の記録再生装置が接続されており、記録再生装置１Ｂにより挿入されているディスク２Ｂからコンパニオン・リスト・ファイルを読み出し、読み出したコンパニオン・リスト・ファイルに記録されているID Descriptorの中から所定のID DescriptorＢに含まれいているネットワークＩＤからネットワークに接続されている記録再生装置１Ａを特定し、ディスク２Ｂの固有のディスクＩＤを読み出し、読み出したディスクＩＤを記録再生装置１Ａに送信し、記録再生装置１Ａにより挿入されているディスク２Ａからコンパニオン・リスト・ファイルを読み出し、読み出したコンパニオン・リスト・ファイルに記録されているID Descriptorに該当するディスクＩＤが有るかどうかを判断し、判断結果からディスク２Ａとディスク２Ｂとが関連付けられていることが判明したら、ディスク２Ａに記録されているデータをネットワークを介して記録再生装置１Ｂに送信するので、ユーザにパスワードの設定等の煩わしい作業を行わせることなくディスクに記録されたデータを特定の者のみの間で安全に送受信を行うことができる。
【０１６３】
また、本願に係る発明は、コンピュータにステップＳ１０〜ステップＳ１７を実行させるためのプログラムであっても良い。
【図面の簡単な説明】
【０１６４】
【図１】本発明に係る記録再生装置で使用するディスクの説明図である。
【図２】本発明に係る記録再生装置で使用するディスクの第１のエリア構造の説明図である。
【図３】本発明に係る記録再生装置で使用するディスクの第２のエリア構造の説明図である。
【図４】本発明に係る記録再生装置で使用するディスクの第３のエリア構造の説明図である。
【図５】本発明に係る記録再生装置で使用するディスクの管理構造の説明図である。
【図６】図５に示すディスクの管理構造のエクスポータブルエリアの構造を示す模式図である。
【図７】図６に示すエクスポータブルエリア内のコンパニオン・リスト・ファイルの構造を示す模式図である。
【図８】本発明に係る記録再生装置で使用するディスクのＵＴＯＣセクタ０の説明図である。
【図９】本発明に係る記録再生装置で使用するディスクのＵＴＯＣセクタ０のリンク形態の説明図である。
【図１０】本発明に係る記録再生装置で使用するディスクのＵＴＯＣによる管理例の説明図である。
【図１１】本発明に係る記録再生装置で使用するディスクのクラスタ構造例の説明図である。
【図１２】本発明に係る記録再生装置で使用するディスクのデータトラックにおけるＦＡＴファイルシステムの説明図である。
【図１３】本発明に係る記録再生装置の構成を示すブロック図である。
【図１４】本発明に係る記録再生装置によるディスクの関連付け作業について説明するフローチャートである。
【図１５】本発明に係るデータ送受信システムによるデータの送受信の様子を示すフローチャートである。
【符号の説明】
【０１６５】
１  記録再生装置、２  ディスク、３  メディアドライブ部、４  データ入出力部、５  メモリ、６  システムコントローラ
【図１】
2005108269.tif 000003
【図２】
2005108269.tif 000004
【図３】
2005108269.tif 000005
【図４】
2005108269.tif 000006
【図５】
2005108269.tif 000007
【図６】
2005108269.tif 000008
【図７】
2005108269.tif 000009
【図８】
2005108269.tif 000010
【図９】
2005108269.tif 000011
【図１０】
2005108269.tif 000012
【図１１】
2005108269.tif 000013
【図１２】
2005108269.tif 000014
【図１３】
2005108269.tif 000015
【図１４】
2005108269.tif 000016
【図１５】
2005108269.tif 000017